(57)【要約】      （修正有）【課題】既成のドリンクホルダーに着脱しておにぎりなどの食品を手軽に加温、保温、保冷することができる食品保持用アダプタを提供する。【解決手段】自動車内に配置されるドリンクホルダーの容器装着部に挿入着脱して用いられる食品保持用アダプタであって、ドリンクホルダーを介して車内エアコンからの気流を取り込むための吸気口１１をその下部に備えた筒状支持部１２と、筒状支持部上に立設され、筒状支持部に導入されたエアコン気流を吹き込んで、その内部に載置した食品を加温、保温、保冷する食品保持部１３と、を有し、食品保持用アダプタは、その側面に設けられた分離ライン１４を基準にして前蓋１０ａが取り外し可能となっており、前蓋を開蓋して、食品保持部への食品の出し入れをできるようにした。【選択図】図１
0003188009.tif 000002
【実用新案登録請求の範囲】
【請求項１】
自動車内に配置されるドリンクホルダーの容器装着部に着脱して用いられる食品保持用アダプタであって、
前記ドリンクホルダーの容器装着部に挿入され、前記ドリンクホルダーを介して車内エアコンからの気流を取り込むための吸気口をその下部に備えた筒状支持部と、
前記筒状支持部上に立設され、前記筒状支持部に導入されたエアコン気流を吹き込んで、
その内部に載置した食品を加温、保温、保冷する食品保持部と、を有し、
前記食品保持用アダプタは、その側面に設けられた分離ラインを基準にして前蓋が取り外し可能となっており、
該前蓋を開蓋して、
前記食品保持部への食品の出し入れをできるようにしたことを特徴とする食品保持用アダプタ。
【請求項２】
自動車内に配置されるドリンクホルダーの容器装着部に着脱して用いられる食品保持用アダプタであって、
前記ドリンクホルダーの容器装着部に挿入され、前記ドリンクホルダーを介して車内エアコンからの気流を取り込むための吸気口をその下部に備えた筒状支持部と、
前記筒状支持部上に立設され、前記筒状支持部に導入されたエアコン気流を吹き込んで、
その内部に載置した食品を加温、保温、保冷する食品保持部と、を有し、
前記食品保持用アダプタは、食品保持部上部のヒンジ部を中心軸として回動させ前蓋の下部を持ち上げ、食品保持部の前部を分離ラインに沿って半割状に開閉できるようにしたことを特徴とする食品保持用アダプタ。
【請求項３】
自動車内に配置されるドリンクホルダーの容器装着部に着脱して用いられる食品保持用アダプタであって、
前記ドリンクホルダーの容器装着部に挿入され、前記ドリンクホルダーを介して車内エアコンからの気流を取り込むための吸気口をその下部に備えた筒状支持部と、
前記筒状支持部上に立設され、前記筒状支持部に導入されたエアコン気流を吹き込んで、
その内部に載置した食品を加温、保温、保冷する食品保持部と、を有し、
前記食品保持用アダプタは、
食品保持部右側面のヒンジ部を中心軸として回動させ上蓋を持ち上げて、食品保持部の上部を分離ラインに沿って開閉できるようにしたことを特徴とする食品保持用アダプタ。
【請求項４】
自動車内に配置されるドリンクホルダーの容器装着部に着脱して用いられる食品保持用アダプタであって、
前記ドリンクホルダーの容器装着部に挿入され、前記ドリンクホルダーを介して車内エアコンからの気流を取り込むための吸気口をその下部に備えた筒状支持部と、
前記筒状支持部上に立設され、前記筒状支持部に導入されたエアコン気流を吹き込んで、
その内部に載置した食品を加温、保温、保冷する食品保持部と、を有し、
前記食品保持用アダプタは、食品保持部の上部をカットして開放状態になっていることを特徴とする食品保持用アダプタ。
【請求項５】
前記ドリンクホルダーを介さずに、直接エアコンの吹出口に装着して、車内エアコンからの気流を前記筒状支持部の吸気口に取り込むようにしたことを特徴とする請求項１〜４のいずれか１項に記載の食品保持用アダプタ。
【考案の詳細な説明】
【技術分野】
【０００１】
本考案は、自動車のドリンクホルダーに着脱して用いられ、おにぎりや菓子類などの食品を自動車の空調ユニットの熱を利用して加温、保温、保冷することができるようにした食品保持用アダプタに関する。
【背景技術】
【０００２】
自動車内で飲食する際、これらの容器を手でもっておくのは不便であるため、缶ジュースなどでは各種のドリンクホルダーが考案され、商品化されている。ドリンクホルダーはドアの窓の溝に差し込んで掛けておくものや、エアコン吹出口のルーバーに取り付けられものがある。
【０００３】
例えば、特許文献１（実開平６−６１５７２公報）には、 エアコン吹出口に対応して保温または保冷をするドリンクなどに風を通す形状の縫いぐるみ部から設けられる自動車のヒーター・エアコン吹出口取付用ドリンクホルダーが開示されている。
また、特許文献２（特開２００２−１４７９１８号公報）には、中空のドリンクホルダーベース上に冷熱素子が設置され、中空円筒状の断熱ケースの内側に前記冷熱素子の上面に当接する熱伝導体の内部にプレートを渦巻状に巻回してドリンク缶の保持体を構成したものも知られている
【先行技術文献】
【特許文献】
【０００４】
【特許文献１】実開平６−６１５７２号公報
【特許文献２】特開２００２−１４７９１８号公報
【考案の概要】
【考案が解決しようとする課題】
【０００５】
しかしながら、前記従来のものは略円筒状のドリンク缶などに特化したものであって、車内でおにぎりや菓子類などの食品を手軽に加温、保温、保冷などするのには適さないものであった。特に特許文献１のものでは、ドリンクなどをホールドする部分が縫いぐるみ部で設けられているので、運転中におにぎりを片手で出し入れすることはできず、不衛生になるという問題点があった。
また、特許文献２のシガーケースからの電源を用いて保温保冷するホルダーでは、接触面を介してのみ伝熱されるので、食品保持部に煩雑に出し入れされるおにぎりなどの食品の加温、保温、保冷などには適さないという課題があった。
【０００６】
本考案は、前記従来の課題を解決するためになされたもので、車内でおにぎりや菓子類などの食品を飲食する際に、既成のドリンクホルダーに着脱して、おにぎりや菓子類などの食品を手軽に加温、保温、保冷などすることができるとともに、運転中においても食品を片手で容易に出し入れすることのできる食品保持用アダプタを提供することを目的とする。
【課題を解決するための手段】
【０００７】
（１）本考案の食品保持用アダプタは、自動車内に配置されるドリンクホルダーの容器装着部に着脱して用いられる食品保持用アダプタであって、
前記ドリンクホルダーの容器装着部に挿入され、前記ドリンクホルダーを介して車内エアコンからの気流を取り込むための吸気口をその下部に備えた筒状支持部と、
前記筒状支持部上に立設され、前記筒状支持部に導入されたエアコン気流を吹き込んで、
その内部に載置した食品を加温、保温、保冷する食品保持部と、を有し、
前記食品保持用アダプタは、その側面に設けられた分離ラインを基準にして前蓋が取り外し可能となっており、
該前蓋を開蓋して、前記食品保持部への食品の出し入れをできるようにしたことを特徴とする。
【０００８】
（２）本考案の食品保持用アダプタは、自動車内に配置されるドリンクホルダーの容器装着部に着脱して用いられる食品保持用アダプタであって、
前記ドリンクホルダーの容器装着部に挿入され、前記ドリンクホルダーを介して車内エアコンからの気流を取り込むための吸気口をその下部に備えた筒状支持部と、
前記筒状支持部上に立設され、前記筒状支持部に導入されたエアコン気流を吹き込んで、
その内部に載置した食品を加温、保温、保冷する食品保持部と、を有し、
前記食品保持用アダプタは、食品保持部上部のヒンジ部を中心軸として回動させ前蓋の下部を持ち上げ、食品保持部の前部を分離ラインに沿って半割状に開閉できるようにしたことを特徴とする。
【０００９】
（３）本考案の食品保持用アダプタは、自動車内に配置されるドリンクホルダーの容器装着部に着脱して用いられる食品保持用アダプタであって、
前記ドリンクホルダーの容器装着部に挿入され、前記ドリンクホルダーを介して車内エアコンからの気流を取り込むための吸気口をその下部に備えた筒状支持部と、
前記筒状支持部上に立設され、前記筒状支持部に導入されたエアコン気流を吹き込んで、
その内部に載置した食品を加温、保温、保冷する食品保持部と、を有し、
前記食品保持用アダプタは、
食品保持部右側面のヒンジ部を中心軸として回動させ上蓋を持ち上げて、食品保持部の上部を分離ラインに沿って開閉できるようにしたことを特徴とする。
【００１０】
（４）本考案の食品保持用アダプタは、自動車内に配置されるドリンクホルダーの容器装着部に着脱して用いられる食品保持用アダプタであって、
前記ドリンクホルダーの容器装着部に挿入され、前記ドリンクホルダーを介して車内エアコンからの気流を取り込むための吸気口をその下部に備えた筒状支持部と、
前記筒状支持部上に立設され、前記筒状支持部に導入されたエアコン気流を吹き込んで、
その内部に載置した食品を加温、保温、保冷する食品保持部と、を有し、
前記食品保持用アダプタは、食品保持部の上部をカットして開放状態になっていることを特徴とする。
（５）本考案の食品保持用アダプタは、上記（１）〜（４）のいずれかにおいて、
前記ドリンクホルダーを介さずに、直接エアコンの吹出口に装着して、車内エアコンからの気流を前記筒状支持部の吸気口に取り込むようにしたことを特徴とする。
【考案の効果】
【００１１】
本考案のの食品保持用アダプタは、自動車内に配置されるドリンクホルダーの容器装着部に挿入され車内エアコンからの気流を取り込むための吸気口をその下部に備えた筒状支持部と、前記筒状支持部上に立設されエアコンにより温度制御された気流が吹き込まれる食品保持部とを有するので、既成のドリンクホルダーに着脱して、おにぎりなどの食品を手軽に加温、保温、保冷することができ、運転中においても片手で容易に出し入れすることができる。
【図面の簡単な説明】
【００１２】
【図１】実施形態の食品保持用アダプタの使用形態を示す斜視図である。
【図２】実施例１の食品保持用アダプタの開閉状態を示す説明図である。
【図３】実施例２の食品保持用アダプタの使用形態を示す説明図である。
【図４】実施例３の食品保持用アダプタの使用形態を示す説明図である。
【図５】実施例４の食品保持用アダプタの使用形態を示す説明図である。
【考案を実施するための形態】
【００１３】
図を用いて、本考案の実施形態に係る食品保持用アダプタを説明する。
図１に示すように、本考案の実施形態に係る食品保持用アダプタ１０は、自動車内のエアコン吹出口などに配置されるドリンクホルダーの容器装着部に着脱して用いる。
食品保持用アダプタ１０は、ドリンクホルダーの容器装着部に挿入され車内エアコンからの気流を取り込むための吸気口１１をその下部に備えた筒状支持部１２と、前記筒状支持部１２上に立設され食品保持部１３とを有している。
また、食品保持用アダプタ１０は、その側面に分離ライン１４を基準にして前蓋１０ａを取り外せるようになっており、おにぎりなどの食品の出し入れを可能としている。
このように、実施形態に係る食品保持用アダプタ１０は、筒状支持部１２の吸気口１１からエアコンにより温度制御された気流が吹き込まれ、食品保持部１３に保持されたおにぎりなどの食品を、エアコン気流によって、加温、保温、保冷などをすることができるとともに、運転中であっても、食品保持用アダプタ１０の食品保持部１３から食品を容易に取り出して温かいおにぎりなどの食感を楽しむことができる。
【００１４】
食品保持用アダプタ１０が着脱されるドリンクホルダーは、プラスチック製や金属製のフレーム体もしくは、その上部が開放されてペットボトルなどを挿入、保持できるようになった箱状の形態を有している（図３参照）。
また、ドリンクホルダーは、エアコン吹出口のルーバー付近にフックやマグネットを介して取り付けられ、エアコン吹出口からの暖気や冷気を取り入れる開口部が設けられている。
このようなドリンクホルダーは既成品であって、通常はドリンク缶やペットボトルなどがドリンクホルダー内の容器装着部に収納されるようになっている。
【００１５】
食品保持用アダプタの筒状支持部１２は、その内部が空洞となっており、その下端側は、ドリンクホルダーを介してエアコン吹出口からの空気を取り入れる開口した吸気口１１を備えており、その上端側は食品保持部１３の下部に一体的に接続するように立設され、吸気口１１から取り入れた空気を食品保持部１３へと導くように構成されている。
【００１６】
食品保持部１３としては、例えば、全体が三角形状などのおにぎりを内包又は上部が開放した状態で保持するための、逆三角形状の形態をしたプラスチック容器体や金属フレーム体などが挙げられる。
【００１７】
なお、図示はしないが、食品保持部１３の上部又は側部に、筒状支持部１２を介して吸気された気流を排気するための通気孔を形成したり、上部に取り外し自在の蓋を設けてこれを開放することで排気口としたりすることもできる。
これによって、食品保持部１３に保持されたおにぎりなどの食品を、その周囲に所定温度の気流を流通させることによって、手軽に加温、保温、保冷などをすることができる。
【００１８】
本実施形態に係る食品保持用アダプタは、逆三角形状の形態をしたプラスチック容器体や金属フレーム体などに替えて、円筒、立方体、球体などの形態とすることもできる。
これにより、おにぎりなどの食品以外の加温、保温、保冷なども行うことができる。
【００１９】
また、本実施形態に係る食品保持用アダプタにおいては、前記筒状支持部の吸気口には、エアコンからの吹き出される空気中のダストや雑菌を除去するためのフィルタ部などを設けることもできる。
これによって、食品保持部内の衛生環境を常時適正に維持させることができる。
【実施例】
【００２０】
＜実施例１＞
実施例１の食品保持用アダプタを図２に示す。
実施例１の食品保持用アダプタ２０は、車内エアコンからの気流を取り込むための吸気口２１をその下部に備えた筒状支持部２２と、吸気口２１を介してエアコンからの気流が導入されて食品を加温、保温、保冷などする食品保持部２３とが一体的に構成されている点で、前述の実施形態の食品保持用アダプタと同様であるが、食品保持用アダプタの前蓋２０ａの開閉態様において異なっている。
【００２１】
すなわち、実施例１の食品保持用アダプタ２０は、食品保持部２３上部のヒンジ部２５を中心軸として回動させ前蓋２０ａの下部を持ち上げ、食品保持部２３の前部を分離ライン２４に沿って半割状に開閉できるようになっている。
半割状に開蓋するには、まず、吸気口２１の一部を形成する前蓋２０ａ下部に備えられた指掛け部２７に指を挿入して、前蓋２０ａ下部を手前上方に持ち上げる（図２（ａ）の状態）。
そして、図２（ｂ）に示すように、食品保持部２３の支持プレート２６上におにぎりＧを載置する。
支持プレート２６は、食品保持部２３の内部に左右逆八の字状に配置されており、略三角形状のおにぎりＧをその空間中央に載置して保持するための部材である。
【００２２】
また、筒状支持部２２の吸気口２１から吸入された空気をおにぎりの周囲に流通させるための隙間としての空気流路２６ａを、支持プレート２６と食品保持部２３の内壁との間に設けている。
なお、食品保持部２３上部やその側部に多数の貫通孔を穿設しておき、食品保持部２３からの空気の排気口として構成するようにしてもよい。
【００２３】
このように、実施例１の食品保持用アダプタ２０は、食品保持部２３上部のヒンジ部２５を中心軸として前蓋２０ａの下部を持ち上げ、おにぎりを出し入れ可能とするとともに、図２（ｃ）に示すように前蓋２０ａを閉の状態にして、筒状支持部２２をドリンクホルダーの容器装着部に装着して固定する。
【００２４】
＜実施例２＞
実施例２の食品保持用アダプタを図３に示す。
実施例２の食品保持用アダプタ３０は、車内エアコンからの気流を取り込むための吸気口３１をその下部に備えた筒状支持部３２と、吸気口３１を介してエアコンからの気流が導入されて食品を加温、保温、保冷などする食品保持部３３とが一体的に構成されている点で、前述の実施形態の食品保持用アダプタと同様であるが、食品保持用アダプタ３０の蓋の開閉態様において異なっている。
【００２５】
すなわち、実施例２の食品保持用アダプタ３０は、食品保持部３３右側面のヒンジ部３５を中心軸として回動させ上蓋３０ａの左側を持ち上げて、食品保持部３３の上部を分離ライン３４に沿って開閉できるようになっている。
上蓋３０ａを開蓋するには、上蓋３０ａの右側部に備えられた指掛け部３７に指を掛けて、上蓋３０ａ下部を上方に持ち上げる（図３（ｃ）の状態）。
そして、図３（ｃ）に示すように、食品保持部３３の上方からおにぎりＧを挿入する。
食品保持部３３内部には、支持プレート３６が逆八の字状に配置されており、略三角形状のおにぎりＧをその空間中央に載置して保持することができる。
【００２６】
このようにして、実施例２の食品保持用アダプタ３０は、図３（ｂ）（ｃ）に示すように、筒状支持部３２をドリンクホルダーＤに装着したままで食品保持部３３の上部からおにぎりなどの食品が片手などでも出し入れできる。
【００２７】
＜実施例３＞
実施例３の食品保持用アダプタを図４に示す。
実施例３の食品保持用アダプタ４０は、車内エアコンからの気流を取り込むための吸気口４１をその下部に備えた筒状支持部４２と、吸気口４１を介してエアコンからの気流が導入されて食品を加温、保温、保冷などする食品保持部４３とが一体的に構成されている点で、前述の実施形態の食品保持用アダプタと同様であるが、食品保持用アダプタ４０の上部を開放した態様において異なっている。
すなわち、実施例３の食品保持用アダプタ４０は、食品保持部４３の上部をカットして開放状態になっている。
図４（ｄ）に示すように、食品保持部４３の上方の開放部４８からおにぎりＧを挿入する。
食品保持部４３内部には、支持プレート４６が逆八の字状に配置されており、略三角形状のおにぎりＧをその空間中央に載置して保持することができる。
【００２８】
このようにして、実施例３の食品保持用アダプタ４０は、図４（ｄ）に示すように、筒状支持部４２をドリンクホルダーＤに装着し、エアコンからの温風を、食品保持部４３と逆八の字状の支持プレート４６との間の間隙である空気流路４６ａを通過させることによって暖めることができる。
実施例３の食品保持用アダプタ４０は、食品保持部４３の上方が開放状態となっていることで、食品保持部４３の上部からおにぎりを片手で容易に出し入れできる。
【００２９】
＜実施例４＞
実施例４の食品保持用アダプタを図５に示す。
実施例４の食品保持用アダプタ５０は、車内エアコンからの気流を取り込むための吸気口５１をその下部に備えた筒状支持部５２と、吸気口５１を介してエアコンからの気流が導入されて食品を加温、保温、保冷などする食品保持部５３とが一体的に構成されている点で、前述の実施形態の食品保持用アダプタと同様であるが、ドリンクホルダーを介さずに、直接エアコンの吹出口の前に装着して、車内エアコンからの気流を筒状支持部５２の吸気口５１に取り込むようにした点で異なっている。
これにより、ドリンクホルダーを用意ぜずとも、食品保持部５３の支持プレート５６上におにぎりなどの食品を載置して、加温などをすることができる。
この場合は、筒状支持部の形状をエアコン吹出口に装着しやすいように適宜変形する。
以上説明したように実施例１〜４の食品保持用アダプタは、エアコンにより温度制御された気流が吹き込まれる食品保持部を有するので、おにぎりなどの食品を手軽に加温、保温、保冷することができ、運転中にも片手で容易に出し入れすることができる。
【符号の説明】
【００３０】
１０，２０，３０，４０，５０    食品保持用アダプタ
１０ａ，２０ａ，  食品保持用アダプタの前蓋
１１，２１，３１，４１，５１    吸気口
１２，２２，３２，４２，５２    筒状支持部
１３，２３，３３，４３，５３    食品保持部
１４，２４，３４    分離ライン
１５，２５，３５    ヒンジ部
１６，２６，３６，４６，５６    支持プレート
２６ａ，４６ａ      空気流路
２７，３７    指掛け部
３０ａ    食品保持用アダプタの上蓋
３８    容器装着部
４８    開放部
Ｄ    ドリンクホルダー
Ｇ    おにぎり
【図１】
0003188009.tif 000003
【図２】
0003188009.tif 000004
【図３】
0003188009.tif 000005
【図４】
0003188009.tif 000006
【図５】
0003188009.tif 000007